(57)【要約】【課題】発光体を収容してなる経済的な餌木やルアーで、釣り人の竿の操作により餌木の目等からの透光、遮光ができる構造を有する餌木や、ルアーの提供。【解決手段】電池等の消耗品を使用することなく獲物の魚類を誘引する為に、釣り人の竿の操作によって餌木やルアー内の発光体を透明部と不透明部間で移動させ、餌木やルアー内の目などからの透光、遮光時間を瞬間的、断続的、長短等、釣り人の意思通りに駆使して、小魚の如く一時的に獲物の魚類から離れて見失わせる事等で、獲物の魚類に焦燥心や生きているかの様な確証を与え、再度目から透光する餌木やルアーを見つけた時には迷わず捕獲に至る事で、釣果に繋がる餌木や、ルアーとした。【選択図】  図１
2004283166.tif 000002
【特許請求の範囲】
【請求項１】
不透明な合成樹脂等で発光体を滑らかな可動状に密封してなる収納体の一部に開口部を設け、その開口部を堅牢な透明体で接合した収容部を形成して餌木内へ納め、釣り人の竿の操作によって収容部内の発光体を透明部と不透明部間で移動させることにより、発光体の光を餌木の外部へ透光、遮光することを特徴とする餌木。
【発明の詳細な説明】
【技術分野】
【０００１】
本発明は魚類を釣る為の発光体を収容した餌木、ルアーに関するもので、特に釣り人の道糸の操作により発光体の光を外部へ透光、遮光する餌木やルアーに関するものである。
【背景技術】
【０００２】
釣り用餌木やルアーに於いては、光の少ない場所や自然光の少ない夜間に於いても獲物の魚類の誘引効果を上げる為に、電池及び発光体を利用して餌木の全体や一部分を常時又は、等間隔で発光・消光させるものや、圧電素子を利用した発光餌木等が知られている。
【特許文献１】特開６１−５２２２６号公報
【特許文献２】実開０６−５０４６３号公報
【特許文献３】実開平０５−５３４６６号公報
【特許文献４】実開０６−１３４６６号公報
【発明の開示】
【発明が解決しようとする課題】
【０００３】
獲物の魚類が餌食のため小魚に近づいた時、小魚は本能的に逃げようとするが、獲物の魚類は餌の小魚が身の危険を感じて様々な危険回避行動をとればとる程、生きている確証を得て小魚を一層激しく追尾し捕獲しようとする性質をもっている。
【０００４】
餌木の目的は如何にして夜間や自然光の少ない場所に於いても逸早く視認させ、活きている小魚に似せようとするものであるが、前述の常時発光している餌木に於いては、餌食のため獲物の魚類が遠方から小魚と思い餌木に接近した時、釣り人は竿の操作で一時的に小魚のように位置を変えようとするが、獲物の魚類には餌木の逃避中も逃避後も、常時発光して自ら位置を知らせている餌木が生きている小魚とは異なり不自然であり、獲物の魚類は小魚と思い追尾してきた餌木が常時発光しているため相手の餌木の方が強者なのかと、警戒心を抱き補食行動に至り難いのである。
【０００５】
電池を電源として等間隔で発光する餌木は常時発光している餌木よりも更に遠方から発見され易く、獲物の魚類に与える関心度と集魚効果は充分であるが、獲物の魚類が小魚と思い餌木に接近しても相変わらず一定間隔で発光、消光を繰り返すだけでは、上記した様な危険回避行動に伴う光の変化が単調で不自然であり、獲物の魚類に警戒心を与えて食い渋らせ、釣果に繋げる事が困難であった。
【０００６】
本発明は餌木を一層生きた小魚に似せるべく、釣り人は水中の様子をイメージしながら竿の操作によって、獲物の魚類が遠方から容易に餌木を発見し、餌木の方へ興味を向けるために餌木の目を不等間隔、断続的に光らせたり、光り続けさせての集魚後、全く餌木の目を光らせることなく小魚の様に餌木の位置を変えつつ獲物の魚類から離れて、餌木を一、二度見失わせる事等により、獲物の魚類に焦燥心と生きているかの様な確証を与えて再度、獲物の魚類が目の光った餌木を発見した時には迷うことなく餌木を捕獲し、釣果に繋げる事を課題としている。
【課題を解決するための手段】
【０００７】
上記課題を解決するため本発明の光る餌木は、不透明な合成樹脂等で発光体を滑らかな可動状に密封してなる収納体の一部に開口部を設け、その開口部を堅牢な透明体で接合した収容部を形成して餌木内へ納め、釣り人の竿の操作によって収容部内の発光体を透明部と不透明部間で移動させることにより、発光体の光を餌木の外部へ透光、遮光することを特徴とする。
【発明の効果】
【０００８】
本発明は電源不要の経済的な餌木やルアーであり、釣り人の竿の操作によって水中の餌木等の目からの透光、遮光の時間差は自在であるため、獲物の魚類に餌木等が生きていて身を隠すようなしぐさや、餌木等の目を光からせずに獲物の魚類の焦りを誘うなど、餌木等の目からの透光、遮光による技法が駆使出来る事となり、更に高度な釣り技法の向上と釣果に繋ぐ事となる。
【発明を実施するための最良の形態】
【０００９】
投入された餌木を頭部方向から沈降するようにバランスウエイトで設定する事を理想とし、電源を使用することなく釣り人が意図的に竿を強く引く、緩める操作で収容部内の発光体に重力や慣性が作用して発光体が透明部と不透明部間を移動する事で、発光体の光を餌木の外部へ透光や遮光する簡素な構造。
【実施例】
【００１０】
本発明の実施の形態について、二つの実施例について図面を参照しながら詳細に説明する。図１は、本発明の光る餌木の外観図であり餌木本体１は市販されている鳥賊等の釣りに使われている餌木を転用したものであり、餌木の胸ヒレ近傍に取り付けられているバランスウエイト５は餌木１が頭部方向から沈降するためや、餌木の沈降速度を調整するものである。
【００１１】
次に本発明の第一実施例について図面を参照しながら説明する。図２、図３は、直径3.0ｍｍの鉄球に蓄光塗料を塗布し、更に透明な合成樹脂で剥離防止の表面加工を施して直径3.3ｍｍで仕上げた発光球体８とする。不透明性と堅牢性を併有した素材で一方向に発光球体８の二倍以上の長さの可動空間を形成し、その一部に開口部を設けてなる収納体２内へ発光球体８を滑らかな可動状に収納して、その開口部を透明な目の形をした硬質の半球体４で接合し、一体化形成して収容部７とする。
【００１２】
図４は、図２、図３の発光球体の収容部が円形に近い餌木１の外形に沿う形状である事を図示したものであって、図５は収容部７の半球体４を餌木両側面の前方方向で餌木にほぼ平行に装着した餌木頭部であり、餌木１を投入すると餌木は頭部より沈降するため収容部内の発光球体８は開口部及び透明な半球体４の位置に在り目からの透光を呈する。餌木のラインアイ９に結ばれた道糸３をしゃくると、収容部７内の発光球体８に慣性が作用して発光球体は瞬時に収容部の不透明部に移り餌木の目は瞬間的に遮光し、道糸を強く引く、緩める、を繰り返すと餌木の目は透光、遮光を繰り返す。餌木の道糸を強く引き続けると餌木の頭部が上を向き、収容体内の発光球体が収容体の不透明部に移動して餌木の目から透光することなく位置を変え、餌木の道糸を緩く引き続けると餌木の頭部は上を向かず収容体内の発光球体は収容体の開口部及び半球体の位置から移動せず、餌木の目から透光状態で位置を変えることとなる。
【００１３】
餌木の収容部７を図５とは逆に半球体４を餌木の後方側へ装着すると、投入された餌木は道糸でしゃくられると餌木内の収容部の発光球体に慣性が作用して瞬間的に餌木の目から透光するなど、上記とは逆の透光、遮光を呈する。
【００１４】
また、餌木両側面から餌木内へ各々直に発光球体を滑らかな可動状に収納してなる先端が封止状のパイプ状空間を形成し、堅牢で透明な半球体で餌木の両側面からそれぞれのパイプ状空間の開口部を接合すれば上記同様の作用効果が得られるが、条件としてパイプ状空間の長短や餌木の内部方向への角度、腹部又は背部方向への角度、前方又は後方への角度など、方向や傾角の形成に関係しており、餌木の道糸を引っ張ったり緩めたりする事で発光体に重力や慣性が作用して餌木が光の透光、遮光を生ずる条件の範囲内に制約される。尚、透光性を有したルアー等においてはパイプ状空間壁を不透明化に処理をしておく必要が生じる。
【００１５】
本発明の第二実施例を図面で示して詳細に説明する。図６、図７のように不透明性と堅
牢性を併有している素材で発光体を収納するための収納体２を形成し、収納体の開口部と
同形で同じ大きさの、厚さ1.0ｍｍの鉄板の表面に蓄光塗を塗布し、透明な合成樹脂で剥
離防止の表面加工をして発光体６とする。                                        
【００１６】
発光体６を収納する収納体２内の空間は、一方向に発光体６が滑らかに可動な二倍以上の長さで、収納体２の開口部を透明性と硬牢性を有した半球体４で密封して一体化形成した発光体６の収容部７とする。                                                                                
【００１７】
全実施例とも収容部内の透明な半球体４は発光体６及び、発光球体８の光を強化して放出させる為の部位であり、発光体が光を採り入れる蓄光部でもあって、収容部7は第一実施例同様に餌木１の両側面で餌木に対してほぼ平行に装着する事が望ましく、餌木に装着する収容部の装着角度を大きくしすぎると収容部内の発光球体や発光体に重力が作用しすぎて常に餌木の目から透光し続けるか、遮光し続けるか、強く引かれて発光体に瞬間的な慣性が作用すれば一瞬の透光、遮光で終わる餌木となる。
【００１８】
図８のように半球体４を餌木の前方方向で取り付けた場合、遠投された餌木は頭部方向より沈降するため、収容部７内の円形の発光体６に重力が作用して発光体６は透明な半球体４の位置に移り餌木の目から透光する。
【００１９】
道糸３で餌木１を強く引き続けて餌木が上を向くと収容部７内の発光体６は重力や慣性が作用して半球体４から収容部内の不透明部へ移動して餌木の目から透光する事なく餌木は位置を変え、道糸３で餌木１を緩く引き続けると餌木は上を向かず発光体は重力が作用し続けて、半球体４の位置で安定し続けて餌木の目から透光しながら位置を変え、道糸をしゃくると餌木の収容部内の発光体に慣性が作用して発光体６が収容部の不透明部に移り餌木の目は瞬間的に遮光されてしまう事となる。
【００２０】
収容部７を、図８とは逆に半球体４を餌木１の後方側に取り付けた場合、投入された餌木の道糸をしゃくると餌木の収容部内の発光体に慣性が作用して餌木の目から瞬間的に透光するなど、前述の餌木の透光、遮光とは逆の透光、遮光状態を生ずる。第一、第二実施例共、餌木がほぼ水面と平行に緩急を以って移動する場合に於いても餌木本体は水の抵抗を受けるため餌木内部の発光体に慣性が作用し、発光体は移動して餌木外部へ透光、遮光を呈する場合も生ずる。
【００２１】
スペースの少ない小型の餌木やルアーでは、両側に開口部を設けてなる収容部内に両面に蓄光塗料を塗布した発光体または、発光球体を滑らかな可動状に納めて頭部内中央へ配置して、収容部の両側の開口部を透明な半球体で密封すれば、両眼を同時に透光する事が可能となり、前実施例と同様の方法で道糸を操作する事で同じ作用効果が得られ、小型の餌木やルアーには特に有効な手段となる。
【００２２】
また、第一、第二実施例とも発光球体や発光体の移動によって餌木の目からの透光、遮光を行う方法であるが、発光体等を固定して不透明体を発光体等の前面で移動させる事により発光体の前面を開放したり遮ったりする方法でも同様の作用効果が得られる等、竿の操作で透光、遮光を行なう事が可能であり、特にいずれの方法や餌木内からの透光も目に限定するものではない。
【００２３】
餌木やルアーに、この様な構造の収容部を採用する事により、釣り人は竿の操作時が餌木やルアーの目からの透光、遮光を呈するタイミングとなり、水中での餌木や周囲の状況をイメージしながら自在な透光、遮光の時間差等を駆使して、餌木やルアーをより一層生きた小魚に近い動きで操作可能となった。
【図面の簡単な説明】
【００２４】
【図１】本発明の餌木本体の外観図
【図２】本発明の第一実施例の発光体の収容部正面拡大図
【図３】Ａ‐Ａの断面図
【図４】本発明の第一実施例の発光体の収容部側面拡大図
【図５】本発明の第一実施例の頭部平面拡大図
【図６】本発明の第二実施例の発光体の収容部の正面拡大図
【図７】Ｂ‐Ｂの断面図
【図８】本発明の第二実施例の頭部平面拡大図
【符号の説明】
【００２５】
１  餌木本体
２  収納体
３  道糸
４  半球体
５  バランスウエイト
６  発光体
７  収容部
８  発光球体
９  ラインアイ
【図１】
2004283166.tif 000003
【図２】
2004283166.tif 000004
【図３】
2004283166.tif 000005
【図４】
2004283166.tif 000006
【図５】
2004283166.tif 000007
【図６】
2004283166.tif 000008
【図７】
2004283166.tif 000009
【図８】
2004283166.tif 000010